(57)【要約】【課題】旅行者等を撮影対象者とした撮像データを、撮影対象者ではない写真に映り込んでしまった人物に対するプライバシーに十分に配慮した上で、撮影対象者及びこれに付帯する人物が写っている撮像データを第三者が閲覧しないようにする。【解決手段】撮像者によって操作される撮像装置１００と、ユーザによって使用されるＧＰＳ２１０を有する携帯端末２００と、を備える撮像データ提供システムであって、ユーザの顔画像のマスターデータを登録を促す登録促進手段３１０と、ＧＰＳ２１０の発する信号に基づいて撮像装置１００によって撮像された顔画像の撮像データとマスターデータとのマッチング判定をする判定手段３２０と、判定手段３２０によってマスターデータにマッチングすると判定された顔画像の撮像データに対してユーザ及びこれに付帯するメンバーを除く人顔に加工処理を施す加工処理手段３３０と、を備える。【選択図】  図１
2020184165.tif 000002
【特許請求の範囲】
【請求項１】
撮像者によって操作される撮像装置と、ユーザによって使用される位置特定手段を有する携帯端末と、を備える撮像データ提供システムであって、
前記ユーザの顔画像のマスターデータを登録を促す登録促進手段と、
前記位置特定手段の発する信号に基づいて前記撮像装置によって撮像された顔画像の撮像データと前記マスターデータとのマッチング判定をする判定手段と、
前記判定手段によってマスターデータにマッチングすると判定された顔画像の撮像データに対して前記ユーザ及びこれに付帯するメンバーを除く人顔に加工処理を施す加工処理手段と、
を備える撮像データ提供システム。
【請求項２】
前記マスターデータを登録する仲介装置を備える、請求項１記載の撮像データ提供システム。
【請求項３】
前記マスターデータを登録する仲介装置、前記撮像装置又は前記携帯端末に、前記加工処理手段を設ける、請求項１記載の撮像データ提供システム。
【請求項４】
前記撮像装置によって撮像された顔画像の撮像データを送信する送信手段を備える、請求項１記載の撮像データ提供システム。
【請求項５】
前記判定手段によってマスターデータにマッチングすると判定された顔画像のユーザに対して本人確認をする確認手段と、
前記確認手段によって前記撮像データの顔画像が当該本人確認できたユーザの顔画像であることを条件に前記撮像装置によって撮像された顔画像のうち当該ユーザの他の顔画像を提供する提供手段と、
を備える、請求項１記載の撮像データ提供システム。
【請求項６】
前記携帯端末は、前記登録促進手段によって促されたことに従って前記マスターデータ  を登録する登録手段を備える、請求項１記載の撮像データ提供システム。
【発明の詳細な説明】
【技術分野】
【０００１】
本発明は、撮像データ提供システムに関し、特に、プライバシーに配慮した撮像データ提供システムに関する。
【背景技術】
【０００２】
特許文献１には、旅行参加者が自分が撮影された実際の画像を確認した上で該画像のプリントを注文できる写真販売システムが開示されている。この写真販売システムは、デジタルカメラと、前記デジタルカメラで人物を撮影した画像の画像データを、撮影直後に送信する第１の通信装置と、前記第１の通信装置からの前記画像データを受信する第２の通信装置と、前記第２の通信装置が受信した画像データの画像を表示する画像表示部と前記撮影された人物による前記画像のプリント注文を受け付ける受注部とを備えたプリントの受注装置とからなり、前記デジタルカメラ及び第１の通信装置と、前記第２の通信装置及び前記受注装置とは隔離された位置に配置されていることを特徴とする。
【０００３】
特許文献２には、ウエブサイトを介して写真のプリント及び写真アルバムを配信する写真アルバム作成システムが開示されている。この写真アルバム作成システムでは、ユーザは、ウエブサイトにて会員登録し、ログインＩＤ及びパスワードの配布を受ける。写真アルバム作成サーバ装置側では、専門のカメラマンを幼稚園、学校等に派遣し、園児又は生徒の写真を撮影し、ウエブサイトに掲示する。会員登録したユーザは、ウエブサイトにて写真及び写真アルバムを申し込む。ユーザは、写真アルバムを自由に編集することができる。写真アルバム作成サーバ装置では、長期間に亘って、画像データを保存する。
【特許文献１】特開２００３−２２３５０４号公報
【特許文献２】特開２００８−２１１９１号公報
【発明の開示】
【発明が解決しようとする課題】
【０００４】
しかし、特許文献１に開示されている写真販売システムは、撮影対象者ではない写真に映り込んでしまった人物に対するプライバシーの配慮がされていない。また、このためプリント注文者の意識が低いと、撮影対象者ではない写真に映り込んでしまった人物に対するプライバシーが十分に保護されない場合がある。
【０００５】
また、特許文献２に開示されている写真アルバム作成システムは、同じ幼稚園、同じ学校等の園児又は生徒に限定される話ではあるが、ユーザは他の園児又は生徒の写真もウエブサイトでの掲示を通じて閲覧することが可能である。換言すると、ウエブサイトに掲載された写真は、同じ幼稚園、同じ学校等の園児又は生徒、その父兄等であれば、誰もが自由に見得る状態となる。しかし、これを希望しない園児又は生徒、その父兄等がいる場合に、それに対処することができない。
【０００６】
そこで、本発明は、旅行者等を撮影対象者とした撮像データを、撮影対象者ではない写真に映り込んでしまった人物に対するプライバシーに十分に配慮した上で、撮影対象者及びこれに付帯する人物が写っている撮像データを第三者が閲覧しないようにすることを課題とする。
【課題を解決するための手段】
【０００７】
上記課題を解決するために、本発明は、
撮像者によって操作される撮像装置と、ユーザによって使用される位置特定手段を有する携帯端末と、を備える撮像データ提供システムであって、
前記ユーザの顔画像のマスターデータを登録を促す登録促進手段と、
前記位置特定手段の発する信号に基づいて前記撮像装置によって撮像された顔画像の撮像データと前記マスターデータとのマッチング判定をする判定手段と、
前記判定手段によってマスターデータにマッチングすると判定された顔画像の撮像データに対して前記ユーザ及びこれに付帯するメンバーを除く人顔に加工処理を施す加工処理手段と、
を備える。
【０００８】
また、前記マスターデータを登録する仲介装置を備えることもできる。そして、前記仲介装置、前記撮像装置又は前記携帯端末に、前記加工処理手段を設けることもできる。
【０００９】
撮像装置によって撮像された顔画像の撮像データを送信する送信手段を備えてもよい。
【００１０】
前記判定手段によってマスターデータにマッチングすると判定された顔画像のユーザに対して本人確認をする確認手段と、
前記確認手段によって前記撮像データの顔画像が当該本人確認できたユーザの顔画像であることを条件に前記撮像装置によって撮像された顔画像のうち当該ユーザの他の顔画像を提供する提供手段と、
を備えることもできる。
【００１１】
前記携帯端末は、前記登録促進手段によって促されたことに従って前記マスターデータ  を登録する登録手段を備えることもできる。
【発明の実施の形態】
【００１２】
以下、本発明の実施形態について、図面を参照して説明する。
【００１３】
（概要の説明）
例えば、観光名所では、観光客らが、デジタルカメラなどを用いて同行者を撮像したり、近年、自撮りと称される撮像者自身を撮像したりしていることを目にする。観光客らの真のニーズは、自分自身や同行者が写っている写真を入手することである。
【００１４】
本実施形態の撮像データ提供システムは、ユーザである観光客らに対して、観光地にて撮像された撮像データを提供するというサービス（以下、「本サービス」と称する。）を実現するものである。
【００１５】
観光客らとしては、典型的には、本サービスの提供を受けるのに先立って、自身及び同行者の顔画像をマスターデータとして予め登録しておき、自身のスマートフォンなどに搭載されているＧＰＳをアクティブにした状態で仲介装置３００にスマートフォンの位置情報を送信できるようにし、ユーザであることの目印を洋服等に装着して観光地を見物すればよい。
【００１６】
もっとも、スマートフォンの位置情報の送信に代えて、観光予定又は観光履歴の送信とすることもできる。さらに、これに代えて又はこれとともに、当日の服装情報（赤いシャツ、青いセーター、白いバック、サングラスの有無など）も送信することができる。
【００１７】
このとき、いろいろな観光地に設置された監視カメラ、ライブカメラなどの自動撮影カメラ、又は、本サービスに会員登録しているカメラマンによって、ユーザらが撮像される。そして、マスターデータに照らして、ユーザ毎に適宜、撮像データを送信すればよい。なお、カメラマン等による撮像から撮像データをユーザに送信するまでの時間を短くすれば、ユーザにとって魅力的なサービスを提供することが可能となる。
【００１８】
このように、ライブカメラ等が、自分たちを次々と撮影してくれるので、ユーザは、わざわざ自撮りなどをしなくとも、観光終了後に、何十枚何百枚の自分の写真を入手することが可能となる。
【００１９】
ここで、ライブカメラ等によって撮像された撮像データには、ユーザ及びその同伴者ら以外の第三者が写り込む場合がある。このときに、当該第三者の顔部分などをその人物が特定できない程度に加工を施してプライバシーに配慮することが、本実施形態の撮像データ提供システムの特徴の一つである。
【００２０】
なお、撮像データの提供手法については不問であるが、例えば、解像度が相対的に大きな撮像データの解像度を下げてユーザに対して無料提供してもよいし、その中でユーザが気に入ったものがあればオリジナルの解像度の高い撮像データを有料で提供することも考えられる。
【００２１】
ちなみに、撮像データを有料提供した場合には、その撮影者が本サービスの提供によって生じる経費分を差し引いて入手してもよいし、会員カメラマン全員で所定の重み付けをもってシェアしてもよい。
【００２２】
ところで、ＧＰＳを用いれば、通常、撮像データに写り込む、ユーザ、その同行者、及び、第三者の総数は、せいぜい数十人程度であろう。したがって、撮像データの人顔とマスターデータとのマッチングは精度良く行うことができる。このため、当該第三者のプライバシー問題が生じる可能性は非常に低い。しかも、ユーザに提供する撮像データの枚数が増えれば増えるほど、マッチングのサンプル数が増えるため、マッチング精度が向上する。
【００２３】
（構成の説明）
図１は、本発明の実施形態の画像データ提供システムの模式的な構成図である。図１には、以下説明する、撮像装置１００と、携帯端末２００と、仲介装置３００と、ネットワーク４００とを示している。
【００２４】
撮像装置１００は、カメラマンによって操作されるデジタルカメラ若しくはスマートフォンなど、又は、町中若しくは観光地等に設置されている監視カメラ若しくはライブカメラなどである。撮像装置１００は、被写体となる旅行者などの撮像対象を撮像する撮像手段１１０と、撮像手段１１０によって撮像された撮像データをネットワーク４００を介して仲介装置３００に送信する通信手段１２０と、を備えている。
【００２５】
携帯端末２００は、ユーザが所有する携帯電話機又はスマートフォンなどである。携帯端末２００は、グローバルポジショニングシステム（以下、「ＧＰＳ」と称する）２１０と、撮像装置１００及び仲介装置３００と各種データの送受信を行う通信手段２２０と、を備えている。
【００２６】
仲介装置３００は、本実施形態の画像データ提供システムによる画像提供サービス（以下、「本サービス」と称する。）をするものであり、撮像装置１００と携帯端末２００とのやり取りを仲介するものである。
【００２７】
仲介装置３００は、以下説明する、登録促進手段３１０と、判定手段３２０と、加工処理手段３３０と、確認手段３４０と、提供手段３５０と、を備えている。
【００２８】
登録促進手段３１０は、ユーザの顔画像のマスターデータを含むユーザ登録と、撮像装置１００のカメラマンに対するカメラマンとしての会員登録を促すものである。ユーザは、典型的には、登録促進手段３１０によって促されると、携帯端末２００又は図示しないデジタルカメラなどを操作することによって、自己の顔画像のマスターデータを撮像して、通信手段２２０又は図示しないパーソナルコンピュータ（以下、「ＰＣ」と称する。）などを用いて仲介装置３００に送信する。
【００２９】
仲介装置３００は、携帯端末２００等から送信されたマスターデータを受信すると、自装置に付帯する図示しない格納媒体に格納する。なお、ユーザ登録には、ユーザの氏名・住所・電話番号・メールアドレスなどの登録も行われ、これらはマスターデータと紐づけられて格納される。また、会員登録には、カメラマンの氏名・住所・電話番号・メールアドレスなどが格納される。
【００３０】
判定手段３２０は、主として、撮像装置１００によって撮像された顔画像の撮像データとマスターデータとがマッチングするか否か判定し、すなわち、撮像装置１００によって撮像された被写体が、本サービスを受ける者であるか否かを判定するものである。この判定のためには、ユーザの観光予定、服装情報、携帯端末２００の移動履歴なども考慮することができる。
【００３１】
加工処理手段３３０は、判定手段３２０によってマスターデータにマッチングすると判定された顔画像の撮像データに対して、本サービスを受けるユーザ及びこれに付帯するメンバーを除く人顔に加工処理を施すものである。加工処理の内容は不問であるが、いわゆるぼかしを自然的に入れたり、ピントがあっていないような状態にしたり、当該第三者を撮像データから消し込みしたりといったその人顔の人物が特定できないようにして、当該人物のプライバシーを保護できればよい。
【００３２】
確認手段３４０は、判定手段３２０によってマスターデータにマッチングすると判定された顔画像のユーザが、本サービスによって撮像データを送信すべきか否かの本人確認をするものである。具体的には、判定手段３２０による判定対象に用いた顔画像の撮像データを必要に応じて加工処理手段３３０によって加工処理を施してから、ユーザ登録されたメールアドレス宛に送信すればよい。
【００３３】
提供手段３５０は、確認手段３４０によってユーザの本人確認ができた場合に、撮像装置１００によって撮像された撮像データのうち当該ユーザが写っている撮像データをユーザ登録されたメールアドレス宛に提供するものである。
【００３４】
を備えることもできる。
【００３５】
ネットワーク４００は、撮像装置１００と携帯端末２００と仲介装置３００とを相互に接続するインターネットなどのネットワークである。なお、これらの間でのデータのやり取りは、インターネットのみならず、郵送などのネットワークも含むものとする。
【００３６】
（動作の説明）
図２は、図１に示す撮像データ提供システムの動作を示すタイムチャートである。なお、ここでは、ユーザのメールアドレスが、携帯端末２００に設定されているものとして説明するが、ＰＣ又はタブレット端末にインストールされているメーラーに設定されていてもよい。
【００３７】
まず、本サービスの提供に先立って行うべき登録処理について説明する。仲介装置３００の登録促進手段３１０は、撮像装置１００のカメラマン及び携帯端末２００のユーザに対して、それぞれ、会員登録要求及びユーザ登録要求を送信して、会員登録及びユーザ登録を促す（ステップＳ１，Ｓ２）。
【００３８】
具体的には、仲介装置３００の管理者等によって本サービスに係るウェブページ又はアプリケーションプログラムを作成しておき、そこにアクセス等してきたカメラマン及びユーザに対して、氏名等の会員登録等に必要な情報の入力及び送信を促す。ユーザ登録の際には、ユーザの顔画像のマスターデータの送信も促す。
【００３９】
仲介装置３００は、カメラマン等から必要な情報が送信されてくると（ステップＳ３，Ｓ４）、図示しない格納媒体に対して、それらの情報を格納する（ステップＳ５）。これにより、当該カメラマンも当該ユーザも、本サービスを受けられることになる。
【００４０】
なお、ユーザ登録の際には、カメラマンがユーザ及びこれに付帯する人物を撮像することに同意することを確認するとよい。以上が、本サービスの提供に先立って行うべき処理である。
【００４１】
この状態で、例えば、ユーザがとある週末に、家族で観光地に観光旅行に出かけようとしたとする。この場合、ユーザは、事前に、自分以外の家族の少なくとも顔画像をマスターデータとして追加送信するとよい。また、ユーザは、参考のため、事前に観光予定を仲介装置３００に送信するとよい（ステップＳ６）。
【００４２】
仲介装置３００は、ユーザから追加送信されたマスターデータ等を受信すると、当該ユーザの格納情報に当該マスターデータを追加し、併せて、ユーザから観光予定が送信されてきた場合にも、それを当該ユーザの格納情報に追加する（ステップＳ７）。
【００４３】
ユーザが、実際に、観光旅行に出かけた場合には、観光先では携帯端末２００のＧＰＳ２１０をアクティブにしておく（ステップＳ８）。これにより、後述するアプリケーションプログラムによってＧＰＳ２１０からの緯度経度情報などの位置情報が現在時刻と紐付けた状態で、仲介装置３００に送信されることになる（ステップＳ１０）。
【００４４】
また、ユーザ及びその家族は、本サービスを受けるユーザであることを示す目印となるようなバッジ等を洋服又はカバンなどに装着しておく。なお、カメラマンにも会員であることを示す目印となるようなバッジ、スカーフ、腕章等を装着しておくとよい。
【００４５】
この状態で、ユーザが家族とともに、観光地を見物したとする。そうすると、その観光地にいるカメラマンは、目印となるバッジ等を装着しているユーザ及びその同行者を、撮像装置１００を用いて撮像することが可能となる。
【００４６】
実際に、カメラマンが、撮像装置１００を操作することによって、撮像手段１１０によってユーザらを撮像すると（ステップＳ９）、通信手段１２０は、その撮像データを仲介装置３００に送信する（ステップＳ１１）。
【００４７】
なお、送信対象の撮像データは静止画でもよいし動画でもよい。また、撮像データは、スクランブル処理などをして秘匿化してから送信してもよい。
【００４８】
なお、撮像装置１００から撮像データを送信する際には、撮像場所情報（例えば、観光地名、撮像場所の住所又は地名）と撮像時間情報とを付加すると、判定手段３２０による判定処理の負荷を減らすこと、判定精度を向上させることに寄与するために好ましい。
【００４９】
仲介装置３００では、撮像装置１００から送信される撮像データを受信すると、判定手段３２０が、当該撮像データの顔画像に基づいて、マスターデータの格納媒体を参照することによってユーザを特定する。
【００５０】
判定手段３２０は、この際、撮像データに撮像場所情報が付加されていて、かつ、ユーザから観光予定も送信されていた場合には、この撮像場所情報と観光予定とも照合すれば、判定効率が高まり、判定処理の負荷を減らすことができるし、判定精度を向上させることもできる。さらに、判定手段３２０は、携帯端末２００のＧＰＳ２１０に基づく位置情報も使って判定処理を行えば、ほぼ１００％の精度で判定処理を行うことができる。
【００５１】
なお、判定処理に先立って、撮影データの顔画像を特定する際には、撮像装置１００の撮像エリアの、撮像装置１００と被写体との焦点距離も考慮するとよい。また、複数の撮像データを用いて判定をするとよい。
【００５２】
また、判定制度をより向上させるために、強化学習系のＡＩを活用することも一法である。正面からの画像を斜めから見たならばこうなるであろうといった予想を、ＡＩを用いてするとよい。
【００５３】
さらに、マスターデータについては、継時的な顔の変化があるので、撮像データの顔画像で、マスターデータをアップデートするとよい。
【００５４】
なお、撮像装置１００には、カメラマンが操作するデジタルカメラ等に限定されず、観光地などに設置されたライブカメラ等も含むので、ステップＳ１１において送信される撮像データには、ユーザの観光ルート或いは観光地に設置されているライブカメラ等によって撮像されたユーザの撮像データも含まれる。
【００５５】
ライブカメラ等は、恒常的に、動画撮影をして置き、その動画に目印となるバッヂ等を装着している人らが写り込んだ場合に、当該撮像データを抜き出して仲介装置３００に送信するようにすればよい。
【００５６】
もっとも、ライブカメラ等による動画の撮像データの全てを仲介装置３００に送信するようにして、その撮像データの中から、仲介装置３００においてユーザの写っている部分を抜き出すことも可能である。
【００５７】
なお、仲介装置３００の管理者等は、観光地において自ら、撮像装置１００を設置する、或いは、ドローンに搭載した撮像装置１００を当該ドローンとともに遠隔操作する或いは所定のプログラム等によって自動的にドローン稼働及び撮像装置１００による撮像をすることも可能である。
【００５８】
観光地における具体的な設置場所は不問であるが、観光地が神社であるとするならば、境内の鈴近辺のように、自然に顔を向ける位置にすることもできる。
【００５９】
この場合の撮像装置１００は、撮像手段と、「こちらを向いてください」、「はいポーズ」、「撮影します。３・２・１」など撮像に関する各種音声ガイダンスを流す案内手段と、撮像エリアにユーザが写り込んだことを特定する特定手段と、を備えるとよい。
【００６０】
なお、特定手段を設けることは必須ではなく、これに代えて、撮像エリアに対する進入物に対して画像認識をして人顔であるか否かを判定する判定手段を備えてもよい。なお、撮像装置１００によって自動的に撮像する場合には、連続撮像をしたうえで笑顔認識手段を備えるなどして笑顔の多いものを保存することも一法である。
【００６１】
なお、撮像装置１００は、ユーザらを撮像するのみならず、観光地の典型的な観光写真（寺院の本堂、山門、山門からの景色等）を撮像して、その撮像データも併せて送信することもできる。
【００６２】
こうすると、通常時には撮像手段において動画を撮像しておき、その動画に目印となるバッヂを装着したユーザが写り込んだことを特定手段によって特定した場合には、案内手段によってユーザの視線を観光地用撮像装置に向けさせたり、ポーズをとらせたりした状態で、撮像手段によって静止画又は動画の撮像データを撮像させ、仲介装置３００に送信させることができる。
【００６３】
つぎに、仲介装置３００では、撮像データにユーザ及びその家族以外の第三者が写っているか否かを判別して、写っていると判別した場合には、加工処理手段３３０によって、当該第三者のプライバシーを保護するために加工処理を行う（ステップＳ１３）。
【００６４】
ここでの加工処理は、既述のように、ぼかしを自然的に入れたり、ピントがあっていないような状態にしたりすることに加えて、モザイクを入れる、何からの画像を重畳させる、又は、第三者の人影を取り除くといったものなどが挙げられるが、いずれも既知の手法を採用すればよく、また、結果的に、この第三者が誰であるか特定不可能な程度まで加工すればよい。
【００６５】
つぎに、仲介装置３００では、確認手段３４０が、判定手段３２０によってマスターデータにマッチングすると判定された顔画像のユーザが、本サービスによって撮像データを送信すべきか否かの本人確認をする（ステップＳ１４）。
【００６６】
この確認としては、例えば、携帯端末２００から送信される観光予定又は位置情報と、撮像装置１００から送信される撮像データに含まれている撮像場所情報及び撮像時間情報との照合、並びに、当該撮像データの顔画像とマスターデータとの照合などによって行えばよい。
【００６７】
この例のように、家族全員が写っている写真であれば、それらのマスターデータと照合することでほぼ１００％の確認ができると考えられるが、ユーザの一人旅のような、複数の特定の撮像データを例えば１ファイルだけ携帯端末２００に送信することで、ユーザに本人確認を促すことも一法である。
【００６８】
つぎに、確認手段３４０によってユーザの本人確認ができた場合に、仲介装置３００では、提供手段３５０が、撮像装置１００によって撮像された撮像データのうち当該ユーザが写っていて、必要に応じてステップＳ１３の加工処理がなされた撮像データを携帯端末２００に送信する。
【００６９】
その結果、ユーザが気に入った撮像データがあれば、それを選択して購入処理をすることができる（ステップＳ１６）。この場合には、クレジットカード、銀行振り込みなどをすることで、仲介装置３００に撮像データの購入対価を支払い（ステップＳ１７）、当該撮像データの送信元が、カメラマンの撮像装置１００である場合には、その対価の一部が、撮像装置１００のカメラマンに支払われる（ステップＳ１８）。
【００７０】
（アプリケーションプログラムの説明）
図３及び図４は、図１に示す携帯端末２００にインストールされるアプリケーションプログラムを起動した場合に携帯端末２００のディスプレイに表示されるウェブページの例を示す図である。
【００７１】
なお、このアプリケーションプログラムは、携帯端末２００に予めインストールされていてもよいし、ユーザが携帯端末２００を操作することによって、図示しないアプリケーションサーバからダウンロードすることもできる。
【００７２】
図３（ａ）には、ユーザ登録処理に必要な入力欄を含むウェブページ１０を示している。ここには、ユーザの氏名入力欄１０ａと、ユーザの住所入力欄１０ｂと、ユーザの電話番号入力欄１０ｃと、ユーザのメールアドレス入力欄１０ｄと、ログインに必要なパスワード入力欄１０ｅとが示されている。
【００７３】
図３（ｂ）には、図３（ａ）に示す入力画面に必要な情報を入力した後に表示されるプライバシーポリシーが表示されたウェブページ１１を示している。ここには、「カメラマンがユーザ及びこれに付帯する人物を撮像します。」ということ、「位置情報サービス機能をオンすることを求めます」ということなどが表示され、同意するか同意しないかを選択するラジオボタン１１ａ，１１ｂも用意されている。
【００７４】
図３（ｃ）には、ユーザのマスターデータを選択及び送信させるウェブページ１２を示している。この例では、「マスターデータを選択して下さい。」という表示と、「送信ファイルを選択」という領域１２ａの表示とが示されている。ユーザが「送信ファイルを選択」という領域１２ａをタップすると、携帯端末２００内の写真フォルダ等が、携帯端末２００のディスプレイに表示され、適宜、ユーザ自身の顔画像を選択することができる。
【００７５】
なお、ユーザは、正面から撮影された顔画像、斜めから撮影された顔画像など、いくつかのファイルをマスターデータとして選択することも可能とされていて、これにより、判定手段３２０における判定処理の精度を高めることができる。
【００７６】
ユーザは、図３（ａ）〜図３（ｃ）に示すウェブページ１１〜１３を通じて、ユーザ登録を行うことができる。
【００７７】
図４（ｄ）には、このアプリケーションプログラムの使用時のログイン画面のウェブページ１３を示している。ここには、ログイン用のＩＤ入力欄１３ａと、図３（ａ）のパスワード入力欄１０ｅを通じて設定したパスワード入力欄１３ｂとを示している。なお、ＩＤは個別に設定してもよいし、メールアドレス入力欄１０ｄを通じて入力したメールアドレスを代用することもできる。
【００７８】
図４（ｅ）には、携帯端末２００の位置情報サービス機能をオンすることをユーザに選択させるウェブページ１４を示している。ユーザはラジオボタン１４ａ，１４ｂのいずれかを選択することによって、位置情報サービス機能をオンするか否かを決定することができる。なお、位置情報サービス機能をオンすると、携帯端末２００に搭載されているＧＰＳ２１０がオンされ、携帯端末２００の位置情報及び移動履歴が定期的に仲介装置３００に送信されることになる。
【００７９】
図４（ｆ）には、ユーザの観光予定の入力させるウェブページ１５を示している。ここには、日程を選択させるカレンダー１５ａと、観光先の都道府県以下を選択させるプルダウンメニュー１５ｂと、フリーワードによる観光地名入力欄１５ｃとを示している。
【００８０】
ユーザは、図４（ｄ）〜図４（ｆ）に示すウェブページ１４〜１６を通じて、携帯端末２００から仲介装置３００に向けて、観光旅行前に観光予定を送信することが可能になり、また、携帯端末２００の位置情報及び移動履歴を定期的に送信することが可能になる。
【００８１】
（撮像装置１００からの撮像データ送信の説明）
図５は、図１に示す撮像装置１００から仲介装置３００に対して撮像データを送信する場合に撮像装置１００のディスプレイに表示される画面例を示す図である。
【００８２】
なお、ここでは、ＷｉＦｉ及びＧＰＳ機能が搭載された撮像装置１００からネットワーク４００を通じて仲介装置３００に直接送信する例を説明するが、撮像装置１００によって生成される撮像データを、カメラマンがＰＣを操作することによって、一旦ＰＣに取り込んでから、ネットワーク４００を通じて仲介装置３００に送信することもできる。
【００８３】
図５（ａ）には、会員登録処理に必要な入力欄を含む画面例２０を示している。ここには、カメラマンの氏名入力欄２０ａと、カメラマンの住所入力欄２０ｂと、カメラマンの電話番号入力欄２０ｃと、カメラマンのメールアドレス入力欄２０ｄと、ログインに必要なパスワード入力欄２０ｅとが示されている。
【００８４】
図５（ｂ）には、図５（ａ）に示す入力画面に必要な情報を入力した後に表示される注意書きが表示された画面例２１を示している。ここには、「ユーザ及びこれに付帯する人物、並びに、周辺の第三者が不快と感じるような撮像を禁止します。」ということ、「撮像データのメタデータ等に撮像位置・撮像時間情報が含まれていない場合には、可能な限り詳細な撮影位置・撮像時間情報を含めて送信してください。」ということなどが表示され、同意するか同意しないかを選択するラジオボタン２１ａ，２１ｂも用意されている。
【００８５】
カメラマンは、図５（ａ）〜図５（ｂ）に示す画面例２０〜２１を通じて、会員登録を行うことができる。
【００８６】
図５（ｃ）には、このアプリケーションプログラムの使用時のログイン画面の画面例２２を示している。ここには、ログイン用のＩＤ入力欄２２ａと、図５（ａ）のパスワード入力欄１０ｅを通じて設定したパスワード入力欄２２ｂとを示している。なお、ＩＤは個別に設定してもよいし、メールアドレス入力欄２０ｄを通じて入力したメールアドレスを代用することもできる。
【００８７】
図５（ｄ）には、撮像データを選択及び送信させる画面例２３を示している。この例では、「撮像データを選択して下さい。」という表示と、「送信ファイルを選択」という領域２３ａの表示と、が示されている。ユーザが「送信ファイルを選択」という領域２３ａをタップすると、撮像装置１００内の写真フォルダ等が、撮像装置１００のカメラマンのＰＣのディスプレイに表示され、適宜、送信ファイルを選択することができる。
【００８８】
カメラマンは、図５（ｃ）〜図５（ｄ）に示す画面例２２〜２３を通じて、撮像装置１００から仲介装置３００に向けて、撮像データを送信することが可能になる。
【００８９】
なお、撮像データのメタデータ等に撮像位置・撮像時間情報が含まれていない場合には、カメラマンが撮像位置・撮像時間情報を含められるように、入力欄を設ければよい。したがって、カメラマンは、この入力欄を通じて、例えば、「京都の嵐山の渡月橋周辺」、「１０月１日１３：００〜１４：００頃撮影」といような情報を入力すればよい。
【００９０】
また、カメラマンは、予め撮像日時・撮像場所が決定している場合には、それらの予定情報を仲介装置３００に送信しておくこともできる。これによって、携帯端末２００から観光予定を送信することと同様の効果を得ることもできる。すなわち、仲介装置３００の判定手段３２０における判定処理をする際に、判定精度を高めることができる。
【００９１】
加えて、この場合には、仲介装置３００では、撮像装置１００から送信される予定情報と、携帯端末２００から送信される観光予定とのマッチングを行って、撮像装置１００の撮像日時・撮像場所を携帯端末２００に通知することもできる。
【００９２】
また、カメラマンの会員登録時など事前に、カメラマン自身の情報（プロカメラマン／アマチュアカメラマンの種別、カメラマン歴など）、撮像装置１００のスペックなどを、仲介装置３００に送信させることもでき、この場合には、上記通知内容に、これらの情報を含めることもできる。
【００９３】
さらに、仲介装置３００は、単に、上記通知を行うだけではなく、携帯端末２００の地図アプリケーションプログラムで用いることができるように、撮影場所の緯度経度情報を割り出して、それも携帯端末２００に送信することもできる。
【００９４】
そうすると、あまり土地勘のない観光地においても、ユーザが地図アプリケーションプログラムを通じて、目当てのカメラマンのいる撮影地に向かって、撮像してもらうことが可能となる。
【００９５】
また、本実施形態では、ＧＰＳ２１０を用いる場合を例に説明をしたが、例えば、ＧＰＳ衛星からの信号を受信しにくい、地下などに携帯端末２００がある場合には、ＧＰＳ２１０に代えて、Ｗｉｆｉ又はセルＩＤを用いて位置情報を仲介装置３００に送信してもよい。
【００９６】
本実施形態では、典型的な構成・動作について説明しただけであり、構成・動作は上記例に限定されるものではなく、仲介装置３００に備える手段の幾つかは、撮像装置１００又は携帯端末２００に備えてもよい。例えば、判定手段３２０及び／又は加工処理手段３３０は、撮像装置１００に備えることもできる。
【図面の簡単な説明】
【００９７】
【図１】本発明の実施形態の画像データ提供システムの模式的な構成図である。
【図２】図１に示す撮像データ提供システムの動作を示すタイムチャートである。
【図３】図１に示す携帯端末２００にインストールされるアプリケーションプログラムを起動した場合に携帯端末２００のディスプレイに表示されるウェブページの例を示す図である。
【図４】図１に示す携帯端末２００にインストールされるアプリケーションプログラムを起動した場合に携帯端末２００のディスプレイに表示されるウェブページの例を示す図である。
【図５】図１に示す撮像装置１００から仲介装置３００に対して撮像データを送信する場合に撮像装置１００のディスプレイに表示される画面例を示す図である。
【符号の説明】
【００９８】
１００  撮像装置
２００  携帯端末
３００  仲介装置
３１０  登録促進手段
３２０  判定手段
３３０  加工処理手段
３４０  確認手段
３５０  提供手段
４００  ネットワーク
【図１】
2020184165.tif 000003
【図２】
2020184165.tif 000004
【図３】
2020184165.tif 000005
【図４】
2020184165.tif 000006
【図５】
2020184165.tif 000007